(57)【要約】【課題】画像形成装置等の機器、装置を搭載して輸送するための梱包装置に用い、緩衝材の高さを吸収して梱包高さを従来より低くすることが可能なパレットを提供する。【解決手段】パレット２０は、底面部をなす平板材４上の両端に一対のけた材２１、２１を平行に載置固定し、これらけた材２１、２１の中間にもう１本のけた材６を平行に配置し、これらけた材２１、６の上に上面材７を乗せ、さらに上面材７の上に複写機１を直接載置するシート材８を配置した構成である。両側に位置するけた材２１は、角棒状の緩衝材２２を内蔵するための凹部２３が形成してある。上面材７及びシート材８には、けた材２１の凹部２３と対応する位置に開口２４、２５が形成してあり、組み立て状態で開口２４、２５から凹部２３内へ緩衝材２２を収納でき、また凹部２３内から緩衝材２２を取り出せる。緩衝材２２は、例えば発泡スチロール材等から構成するが、その上面の一縁側の略中央部位に、凹部２３から取り出す際の作業が容易に行えるようにするための手掛けとするくぼみ２６を設ける。【選択図】　　　　図３
2004035094.tif 000002
【特許請求の範囲】
【請求項１】
画像形成装置等の機器、製品を搭載輸送するためのパレットであって、上記画像形成装置等の機器、製品を搭載したさいに荷重を受けるけた部材に、上方へ開口する凹部を設け、該凹部内に緩衝材を着脱可能に内蔵してなることを特徴とするパレット。
【請求項２】
請求項１のパレットにおいて、上記緩衝材の上面に、上記凹部からの取り出し作業時の手掛け用のくぼみを設けてなることを特徴とするパレット。
【発明の詳細な説明】
【０００１】
【発明の属する技術分野】
本発明は、画像形成装置等の機器、製品を搭載輸送するための保護性と荷降ろし性を有するパレットに関する。
【０００２】
【従来の技術】
画像形成装置等の機器、装置を搭載して輸送するための梱包装置に関しては、機器を載置するパレットを用いるものが一般的である。図１は、このようなタイプの梱包装置の一例を示す分解斜視図である。図中１は画像形成装置等の機器、装置の一例である複写機、２はパレット、３は上蓋である。パレット２は、底面部をなす平板材４上の両端に一対のけた材５、５を平行に載置固定し、これらけた材５、５の中間にもう１本のけた材６を平行に配置し、これらけた材５、６の上に上面材７を乗せ、さらに上面材７の上に複写機１を直接載置するシート材８を配置した構成となっている。
【０００３】
このようなパレット２上に複写機１を搭載して搬送可能な状態とするには、図１（Ａ）に示すように、シート材８上に複写機１の底面形状にあわせて発泡スチロール等からなる緩衝材９・・・を複数個配置し、その上に複写機１を乗せ、図１（Ｂ）に示す状態とし、さらに複写機１の上面側にもその形状にあわせて発泡スチロール等からなる緩衝材１０・・・を複数個配置し、上蓋３を被せる、という作業になる。なお図中１１は部品箱で、複写機１の本体に取り付けないで搬送する部品等を収納するものである。また図中１２は取っ手であり、上蓋３及びシート材８にそれぞれ取っ手１２に対応する穴１３、１４を設けてある。
【０００４】
【発明が解決しようとする課題】
しかしながらこのような従来のパレット２では、上面材７（具体的にはシート材８）の上に緩衝材９を置かざるを得ないため、そのぶん梱包高さが高くなるという問題がある。
【０００５】
本発明は上記従来の問題を解決するためになしたもので、緩衝材の高さを吸収して梱包高さを従来より低くすることが可能なパレットを提供することを目的とする。
【０００６】
【課題を解決するための手段】
本発明のパレットのうち請求項１に係るものは、上記目的を達成するために、画像形成装置等の機器、製品を搭載輸送するためのパレットであって、上記画像形成装置等の機器、製品を搭載したさいに荷重を受けるけた部材に、上方へ開口する凹部を設け、該凹部内に緩衝材を着脱可能に内蔵してなることを特徴とする。
【０００７】
同請求項２に係るものは、上記目的を達成するために、請求項１のパレットにおいて、上記緩衝材の上面に、上記凹部からの取り出し作業時の手掛け用のくぼみを設けてなることを特徴とする。
【０００８】
【発明の実施の形態】
以下本発明の実施の形態を図面を参照して説明する。なお以下では従来と共通する部分には共通する符号を付すにとどめ重複する説明は省略する。
図３は本発明に係るパレットの一実施形態を示す斜視図である。本実施形態のパレット２０は、基本的な構成は図１、２に示した従来のパレットと同様であるが、両側に位置するけた材２１は従来の例のものよりも幅寸法を広げてあり、従来の例と同様の緩衝材取り付け位置に、角棒状の緩衝材２２を内蔵するための凹部２３が形成してある。また上面材７及びシート材８には、けた材２１の凹部２３と対応する位置に開口２４、２５が形成してあり、図３に示すように組み立てた状態で開口２４、２５から凹部２３内へ緩衝材２２を収納でき、また凹部２３内から緩衝材２２を取り出せるようになっている。
【０００９】
もちろん、上面材７及びシート材８に開口２４、２５を形成せずに、緩衝材２２は上面材７を取り付ける前にけた材２１に内蔵するように構成することもできる。
【００１０】
緩衝材２２は、従来の例と同様に例えば発泡スチロール材等から構成するが、その上面の一縁側の略中央部位に、凹部２３から取り出す際の作業が容易に行えるようにするための手掛けとするくぼみ２６が設けてある。
【００１１】
本実施例のパレット２０上に複写機１を搭載して搬送可能な状態とするには、開口２４、２５を通して凹部２３内へ緩衝材２２を収納し、その上に複写機１を位置をあわせて搭載して図４に示す状態とし、さらに複写機１の上面側にもその形状にあわせて発泡スチロール等からなる緩衝材１０・・・を複数個配置し、上蓋３を被せるという作業になる。
【００１２】
図４の状態でパレット２０、より具体的にはシート材８上面から複写機１の最も高い部位（ＡＤＦの頂部）までの高さＨ２は、図２に示す従来例の高さＨ１よりも緩衝材９によって持ち上げられていた分だけ低くなり、梱包状態での全高も低くすることができる。また複写機１の底面あるいはキャスタが付いていれば複数のキャスタが構成する床設置面とパレット面が同じ高さになり、荷降ろしの際に緩衝材を取り外すためにいったん複写機１を持ち上げる等の作業が不要になる。
【００１３】
【発明の効果】
請求項１に係るパレットは、以上説明してきたように、パレットを構成している両側のけたに緩衝材を内蔵させる凹部を設けたことによりおり、パレット上に緩衝材を置く方式に比べて梱包時の全高を低く抑えることができ、また製品や機器の床設置面をパレット面と同じ高さにできるため荷降ろし性が向上するという効果がある。
【００１４】
請求項２に係るパレットは、緩衝材の上面に取り出し作業時の手掛け用のくぼみを設けているので、上記共通の効果に加え、緩衝材の取り出し性が向上し、緩衝材の処分もしやすくなるという効果がある。
【図面の簡単な説明】
【図１】機器を載置するパレットを用いるタイプの梱包装置の従来の例を示す分解斜視図である。
【図２】図１の例においてパレット上に機器を搭載した状態の斜視図である。
【図３】本発明に係るパレットの一実施形態を用いた梱包装置の例を示す分解斜視図である。
【図４】図３の例においてパレット上に機器を搭載した状態の斜視図である。
【符号の説明】
１　複写機
２　パレット
３　上蓋
４　平板材
５、６　けた材
７　上面材
８　シート材
９、１０　緩衝材
１１　部品箱
１２　取っ手
１３、１４　穴
２０　パレット
２１　けた材
２２　緩衝材
２３　凹部
２４、２５　開口
２６　くぼみ
【図１】
2004035094.tif 000003
【図２】
2004035094.tif 000004
【図３】
2004035094.tif 000005
【図４】
2004035094.tif 000006